(57)【要約】【課題】  使用済みの樹脂フィルムに付いた泥等を洗浄水を使わないでも十分に洗浄できる乾式洗浄システムを提供する。【解決手段】  農ポリを洗浄する乾式洗浄システムにおいて、高速回転するドラム３から突出する多数の回動突起７を農ポリに衝突させる高速回転洗浄機１と、ネットコンベア２１に載って搬送される農ポリにノズル１５からエアを断続して吹き付けるエアパージ洗浄機１１とを備え、農ポリの汚れを高速回転洗浄機１によって剥離させた後にエアパージ洗浄機１１によって分離する。【選択図】    図１
2006289814.tif 000002
【特許請求の範囲】
【請求項１】
樹脂フィルムを洗浄する乾式洗浄システムにおいて、
高速回転するドラムから突出する多数の回動突起を樹脂フィルムに衝突させる高速回転洗浄機と、
ネットコンベアに載って搬送される樹脂フィルムにノズルから噴出するエアを吹き付けるエアパージ洗浄機とを備え、
樹脂フィルムの汚れを前記高速回転洗浄機によって剥離させた後に前記エアパージ洗浄機によって分離することを特徴とする樹脂フィルムの乾式洗浄システム。
【請求項２】
前記ノズルはエアを断続して噴出することを特徴とする請求項１に記載の樹脂フィルムの乾式洗浄システム。
【請求項３】
前記ノズルが前記ネットコンベアの下側から前記ネットコンベアに載って搬送される樹脂フィルムに向けてエアを噴出することを特徴とする請求項１または２に記載の樹脂フィルムの乾式洗浄システム。
【請求項４】
前記ノズルが前記ネットコンベアの斜め上方から前記ネットコンベアに載って搬送される樹脂フィルムに向けてエアを噴出することを特徴とする請求項１または２に記載の樹脂フィルムの乾式洗浄システム。
【請求項５】
前記ネットコンベアを挟んで設けられる前記ノズルどうしを互いに対向しないように前記ネットコンベアの搬送方向についてオフセットしたことを特徴とする請求項４に記載の樹脂フィルムの乾式洗浄システム。
【発明の詳細な説明】
【技術分野】
【０００１】
本発明は、樹脂フィルムを再利用するための乾式洗浄システムの改良に関するものである。
【背景技術】
【０００２】
畑等で使用された使用済みの農業用のポリエチレン製フィルム、ビニール製フィルム等を再生する場合、フィルムに付いた泥等の汚れを洗浄する必要があった。
【０００３】
特許文献１には、破砕されたフィルム廃棄物から汚泥等の異物を分離除去する水洗洗浄機が開示されている。図７に示すように、この水洗洗浄機１０１は、円筒形の洗浄槽１０２と、洗浄槽１０２内に入れられた洗浄液とフィルム廃棄物と旋回させるロータ１０３と、洗浄済みのフィルム廃棄物を外部に取り出す取出パイプ１０４と、取出パイプ１０４中に取付けられた開閉弁１０５とからなる。ロータ１０３が回転すると、投入されたフィルム片が水槽１０２内の洗浄液と一緒に旋回流動し、フィルム廃棄物に付いた汚れを落とすようになっている。
【０００４】
また、特許文献２では、樹脂フィルムを洗浄する乾洗浄機が提案されている。この乾洗浄機は、高速回転するドラムから突出する多数の回動突起を樹脂フィルムに衝突させる高速回転洗浄機を備え、樹脂フィルムが回動突起に衝突するときに生じる衝撃摩擦力によって樹脂フィルムの表面に付いた汚れが剥離され、回収されるようになっている。
【特許文献１】特開２００１−１７０９３７号公報
【特許文献２】特願２００３−３１４２０２号
【発明の開示】
【発明が解決しようとする課題】
【０００５】
しかしながら、特許文献１に開示された水洗式の洗浄機１０１はフィルム廃棄物を洗浄するのに大量の洗浄水を使うため、洗浄水を浄化処理する設備や、洗浄後のフィルム廃棄物を乾燥させる設備が必要となり、設備コスト及びランニングコストが高くなるという問題点があった。
【０００６】
特許文献２にて提案された乾洗浄機は、樹脂フィルムから剥離した汚れからなる粉塵を十分に分離することが難しいという問題点があった。
【０００７】
本発明は上記の問題点に鑑みてなされたものであり、使用済みの樹脂フィルムに付いた泥等を洗浄水を使わないでも十分に洗浄できる乾式洗浄システムを提供することを目的とする。
【課題を解決するための手段】
【０００８】
本発明は、樹脂フィルムを洗浄する乾式洗浄システムにおいて、高速回転するドラムから突出する多数の回動突起を樹脂フィルムに衝突させる高速回転洗浄機と、ネットコンベアに載って搬送される樹脂フィルムにノズルから噴出するエアを吹き付けるエアパージ洗浄機とを備え、樹脂フィルムの汚れを高速回転洗浄機によって剥離させた後にエアパージ洗浄機によって分離することを特徴とするものとした。
【発明の効果】
【０００９】
本発明によると、高速回転洗浄機にて樹脂フィルムが回動突起に繰り返し衝突し、この衝突時に生じる衝撃摩擦力によって破砕片の表面に付いた汚れが剥離される。
【００１０】
高速回転洗浄機によって洗浄された樹脂フィルムは、エアパージ洗浄機にてネットコンベアに載って搬送される過程でエアが吹き付けられ、このエアによって樹脂フィルムから剥離された汚れからなる粉塵を樹脂フィルムから分離する。
【００１１】
こうして高速回転洗浄機にて樹脂フィルムの汚れを衝撃摩擦力によって剥離させた後にエアパージ洗浄機にて吹き付けられるエアによって分離することにより、樹脂フィルムの洗浄効果を十分に高められる。
【発明を実施するための最良の形態】
【００１２】
以下、本発明の実施の形態を添付図面に基づいて説明する。
【００１３】
図１は樹脂フィルムとして使用済みの農業用のポリエチレン製シート（以下、農ポリと呼ぶ）を洗浄する本発明の乾式洗浄システムを示す。
【００１４】
この乾式洗浄システムは、高速回転するドラム３から突出する多数の回動突起７を農ポリに衝突させる高速回転洗浄機１と、ネットコンベア２１に載って搬送される農ポリにエアを断続して吹き付けるエアパージ洗浄機１１とを備え、農ポリの汚れを高速回転洗浄機１によって剥離させた後にエアパージ洗浄機１１によって分離する。
【００１５】
図示しない粉砕器によって数十〜百ｍｍ程度の大きさに破砕された農ポリは、図示しない定量投入機によって高速回転洗浄機１の入口２に圧送される。高速回転洗浄機１に投入された農ポリは、高速回転洗浄機１にて高速回転するドラム３に設けられる多数の回動突起７が衝突し、この衝撃摩擦力によって農ポリに付いていた汚れが剥離される。
【００１６】
剥離した汚れからなる粉塵はフィルタ５を通して吸引され、ブロア８１を介して集塵機８２へと送られ、この集塵機８２を介して回収される。
【００１７】
なお、上記した高速回転洗浄機１については、既に特願２００３−３１４２０２号（特許文献２）にて出願している。
【００１８】
高速回転洗浄機１にて汚れが剥離された農ポリは、出口４からブロア８３を介してサイクロン８０へと吸引され、サイクロン８０にて汚れを遠心力によって分離した後、エアパージ洗浄機１１へと投入される。
【００１９】
エアパージ洗浄機１１に投入された農ポリは、エアパージ洗浄機１１にてネットコンベア２１に載って搬送される過程でエアが断続して吹き付けられ、このエアによって農ポリから剥離された汚れからなる粉塵を農ポリから分離する。
【００２０】
エアパージ洗浄機１１にて汚れが分離された農ポリは、洗浄品として送り出され、洗浄作業を終了する。
【００２１】
高速回転洗浄機１とエアパージ洗浄機１１にて農ポリから分離された汚れの粉塵からなる分離物は、ブロア８１を介して集塵機８２へと送られ、この集塵機８２を介して回収される。
【００２２】
この洗浄品は例えば溶融機によってポリエチレンのブロックに固められ、再生材料として出荷される。
【００２３】
図２〜図５はエアパージ洗浄機１１の具体的構造を示す。エアパージ洗浄機１１は、網状のワイヤベルト２２が循環し農ポリを載せて搬送するネットコンベア２１と、このネットコンベア２１上にエアパージ空間１８を画成する網状のワイヤケーシング１９と、このエアパージ空間１８の手前に開口して農ポリを導入するホッパ１２と、ワイヤベルト２２の折り返し端部に位置して農ポリを排出する排出部１４と、ワイヤベルト２２に載って搬送される農ポリに向けてエアを断続して吹き付けるノズル１５と、エアパージ空間１８にて農ポリから分離された分離物を回収しブロア８１へと送る回収機構（図示せず）とを備える。
【００２４】
図２、図３に示すように、ネットコンベア２１は、ラダー状のメインフレーム２７と、このメインフレーム２７の両端部に回転可能に支持される前後ローラ２３，２４とを備え、無端帯状のワイヤベルト２２がこの前後ローラ２３，２４に渡って張設される。前後ローラ２３，２４は互いに平行な水平軸回りに回転可能に支持され、ワイヤベルト２２のエアパージ空間１８に面する上面は略水平に延びている。ワイヤベルト２２の上側循環部分は複数のビーム２９によって案内される。ワイヤベルト２２の下側循環部分は複数のローラ３０によって案内される。
【００２５】
後ローラ２４はモータ２５によって回転駆動される。後ローラ２４が回転することによってワイヤベルト２２が循環する。
【００２６】
前ローラ２３はテンショナ２６を介してワイヤベルト２２の循環方向に進退し、ワイヤベルト２２の張力を調節する。
【００２７】
図４に示すように、メインフレーム２７上には３つの門形フレーム２８が立設され、これらの門形フレーム２８に渡って網状のワイヤケーシング１９が張設される。ワイヤケーシング１９とワイヤベルト２２の間に略矩形のエアパージ空間１８が画成される。
【００２８】
メインフレーム２７上にはエアパージ空間１８の手前にホッパ１２の出口が臨む投入領域１７が設けられる。この投入領域１７はメインフレーム２７上に立設されるワイヤケーシング１６によって囲まれる。
【００２９】
エアパージ洗浄機１１は、図示しないコンプレッサによって加圧されたエアが蓄圧されるチャンバー３３と、このチャンバー３３を各ノズル１５に対して断続的に連通する各バルブ３５，３７とを備え、各ノズル１５からエアを断続して吐出する。
【００３０】
本実施の形態において、エアパージ洗浄機１１はエアを吐出する４つのノズル１５を備え、各ノズル１５がワイヤベルト２２の下側からワイヤベルト２２に載って搬送される農ポリに向けてエアを図５に矢印で示すように噴出する。各ノズル１５は略垂直方向に延び、ワイヤベルト２２の下側循環部分に向けて開口している。
【００３１】
各ノズル１５はエアパージ空間１８の後部に向けて配置される対の後側のノズル１５と、エアパージ空間１８の前部に向けて配置される対の前側のノズル１５とがある。
【００３２】
後側のノズル１５にはチャンバー３３から配管３４、バルブ３５、配管３６を介して加圧空気が供給される。
【００３３】
前側のノズル１５にはチャンバー３３から配管３４、バルブ３７、配管３８を介して加圧空気が供給される。
【００３４】
各バルブ３５は図示しないコントローラによって交互に開弁するように制御される。
【００３５】
以上のように構成されて、次に作用及び効果について説明する。
【００３６】
高速回転洗浄機１にて農ポリが入口２から洗浄空間８を通って出口４へと向かう過程で、破砕片が回動突起７と固定突起８に繰り返し衝突し、この衝突時に生じる衝撃摩擦力によって農ポリの表面に付いた汚れが剥離される。
【００３７】
剥離した汚れからなる粉塵の一部はフィルタ５を通して吸引され、ブロア８１を介して集塵機８２へと送られ、この集塵機８２を介して回収される。
【００３８】
高速回転洗浄機１によって洗浄された農ポリは、続いてエアパージ洗浄機１１に投入され、エアパージ洗浄機１１にてネットコンベア２１に載って搬送される過程でエアが断続して吹き付けられる。このエアによって農ポリから剥離された汚れからなる粉塵は農ポリから分離され、ネットコンベア２１またはケーシング１９等を通して回収される。
【００３９】
こうして農ポリの汚れを高速回転洗浄機１にて衝撃摩擦力によって剥離させた後に、エアパージ洗浄機１１にて吹き付けられるエアによって分離することにより、農ポリの洗浄効果を高められる。
【００４０】
エアパージ洗浄機１１は、網状のワイヤベルト２２が循環し農ポリを載せて搬送するネットコンベア２１と、このネットコンベア２１上にエアパージ空間１８を画成する網状のワイヤケーシング１９と、ワイヤベルト２２に載って搬送される農ポリに向けてエアを断続して吹き付けるノズル１５とを備えたため、吹き付けられるエアによって農ポリがエアパージ空間１８にて十分に撹拌され、エアによって粉塵が農ポリから分離することが促され、農ポリの洗浄効果を高められる。
【００４１】
本実施の形態では、各ノズル１５がワイヤベルト２２の下側からワイヤベルト２２に載って搬送される農ポリに向けてエアを噴出するため、断続して吹き付けられるエアによって農ポリがエアパージ空間１８にて撹拌されることが促され、農ポリの洗浄効果を高められる。
【００４２】
次に図６の（ａ），（ｂ），（ｃ）に示す他の実施形態を説明する。なお、前記実施形態と同一構成部には同一符号を付す。
【００４３】
エアパージ洗浄機１１は８つのノズル１５ａ〜１５ｈを備え、各ノズル１５ａ〜１５ｈがネットコンベア２１の斜め上方からネットコンベア２１に載って搬送される農ポリに向けてエアを噴出する。
【００４４】
各ノズル１５ａ〜１５ｈは水平線に対して下向きに傾斜し、ネットコンベア２１上に向けてエアを噴出する。
【００４５】
各ノズル１５ａ〜１５ｈはネットコンベア２１の搬送方向に対して直交するように配置される。各ノズル１５ａ〜１５ｈの噴出口は垂直方向について扁平な断面形状をし、各ノズル１５ａ〜１５ｈから噴出されるエアはネットコンベア２１の搬送方向に広がる。
【００４６】
４つのノズル１５ａ〜１５ｄがネットコンベア２１の右側に配置され、４つのノズル１５ｅ〜１５ｈがネットコンベア２１の左側に配置される。
【００４７】
右側に配置されるノズル１５ａ〜１５ｄと、左側に配置される４つのノズル１５ｅ〜１５ｈとは、互いに対向しないようにネットコンベア２１の搬送方向についてオフセットして配置される。
【００４８】
各ノズル１５ａ〜１５ｈは図示しない４つのバルブを介してエアが断続して供給される。ノズル１５ａとノズル１５ｅ、ノズル１５ｂとノズル１５ｆ、ノズル１５ｃとノズル１５ｇ、ノズル１５ｄとノズル１５ｈは、それぞれ共通のバルブを介してチャンバに連通し、同時にエアを噴出する。
【００４９】
各ノズル１５ａ〜１５ｈはエアパージ空間１８を画成する網状のワイヤケーシング１９を貫通して設けられる。
【００５０】
以上のように構成されて、次に作用及び効果について説明する。
【００５１】
本実施の形態では、エアパージ洗浄機１１は各ノズル１５ａ〜１５ｈがネットコンベア２１の斜め上方からネットコンベア２１に載って搬送される農ポリに向けてエアを噴出するため、断続して吹き付けられるエアがネットコンベア２１を貫通して下方に向かい、エアによって農ポリから分離された粉塵がネットコンベア２１を貫通して速やかに回収され、分離された粉塵が再びネットコンベア２１上の農ポリに付着することを抑え、農ポリの洗浄効果を高められる。
【００５２】
ネットコンベア２１を挟んで設けられるノズル１５ａ〜１５ｄとノズル１５ｅ〜１５ｈを互いに対向しないようにネットコンベア２１の搬送方向についてオフセットして配置したため、吹き付けられるエアによって農ポリがエアパージ空間１８にて撹拌されることが促され、農ポリの洗浄効果を高められる。
【００５３】
本発明は上記の実施の形態に限定されずに、その技術的な思想の範囲内において種々の変更がなしうることは明白である。
【産業上の利用可能性】
【００５４】
本発明の樹脂フィルムの洗浄機は、畑等で使用される農業用のポリエチレン製シート以外の例えば塩化ビニール製シート等他の合成樹脂製シートのリサイクルシステムにも適用できる。
【図面の簡単な説明】
【００５５】
【図１】本発明の実施の形態を示し、乾式洗浄システムを示す構成図。
【図２】同じくエアパージ洗浄機の側面図。
【図３】同じくエアパージ洗浄機の平面図。
【図４】同じくエアパージ洗浄機の正面図。
【図５】同じく図２のＡ−Ａ線に沿う断面図。
【図６】本発明の他の実施の形態を示すエアパージ洗浄機の三面図。
【図７】従来例を示す洗浄機の断面図。
【符号の説明】
【００５６】
１  高速回転洗浄機
７  回動突起
１１  エアパージ洗浄機
１５  ノズル
２１  ネットコンベア
【図１】
2006289814.tif 000003
【図２】
2006289814.tif 000004
【図３】
2006289814.tif 000005
【図４】
2006289814.tif 000006
【図５】
2006289814.tif 000007
【図６】
2006289814.tif 000008
【図７】
2006289814.tif 000009